(57)【特許請求の範囲】
【請求項１】
放送データの受信手段及び受信データを記憶する記憶手段とを有する受信専用通信手段と、
双方向通信手段と、
前記受信専用通信手段の記憶手段に記憶された受信データから前記双方向通信手段によってアクセスし得るアドレスを抽出する処理と、前記双方向通信手段を用いて前記アドレスに存在するファイルを取り込む処理とを実行するアクセス手段と、
前記双方向通信手段及び前記アクセス手段に対する電源駆動を行う第一の電源駆動手段と、
前記第一の電源駆動手段とは独立した電源駆動を前記受信専用通信手段に対して行い、  前記第一の駆動手段が電源断または省電力状態であってもデータの受信及び受信したデータの記憶手段への記憶をなし得るよう電源駆動を行う第二の電源駆動手段とを備え、
前記アクセス手段は、前記第一の電源駆動手段より通常電力の供給がなされる状態において前記アドレスを抽出する処理及びファイルを取り込む処理を実行することを特徴とする情報収集装置。
【請求項２】
前記双方向通信手段によってアクセスし得るアドレスは、インターネットのＵＲＬであることを特徴とする請求項１に記載の情報収集装置。
【請求項３】
前記受信専用通信手段はＤＡＲＣ規格のＦＭ文字放送を受信する受信機であって、
前記アクセス手段は、ＤＡＲＣ規格のＦＭ文字放送データのページデータに設けられたダミー領域に記述されたアドレスを抽出することを特徴とする請求項１に記載の情報収集装置。
【請求項４】
前記受信専用通信手段が受信した前記受信データまたは該受信データの一部のデータを表示する表示手段と、
前記表示手段に表示されたデータを選択する指示入力を受け付ける入力手段とを有すると共に、
前記アクセス手段は、前記入力手段により選択指示された受信データに含まれるアドレスを抽出して前記双方向通信手段によるアクセスを実行することを特徴とする請求項１に記載の情報収集装置。
【請求項５】
前記受信専用通信手段はＤＡＲＣ規格のＦＭ文字放送を受信する受信機であって、
前記表示手段は、前記ＦＭ文字放送のページデータのヘッダ文字列と本文文字列と共に、該ページデータのダミー領域に記述されたＵＲＬまたは該ＵＲＬにリンクするボタンを表示し、
前記入力手段はポインティングデバイスであって、前記表示されたＵＲＬまたは該ＵＲＬにリンクするボタンがポイント入力されることを検出し、
前記アクセス手段は、ポイント入力に基づいて対応するＵＲＬのファイルを取り込む動作を実行することを特徴とする請求項４に記載の情報収集装置。
【請求項６】
前記表示手段及び前記入力手段は前記第一の電源駆動手段により電源駆動が行われることを特徴とする請求項４に記載の情報収集装置。
【請求項７】
放送データの受信手段及び受信データを記憶する記憶手段とを有する受信専用通信手段と、
双方向通信手段と、
前記受信専用通信手段の記憶手段に記憶された受信データから前記双方向通信手段によってアクセスし得るアドレスを抽出し、前記双方向通信手段を用いて前記アドレスに存在するファイルを取り込むアクセス手段と、
検索キーワードを登録するキーワード登録手段と、
前記登録されたキーワードを保存し、該キーワードを用いて前記記憶手段に記憶された受信データを検索する検索手段とを有すると共に、
前記検索手段は、前記登録されたキーワードが含まれる受信データを抽出したときに、前記アクセス手段を起動する制御を行ない、
前記アクセス手段は、前記検索手段により抽出された受信データより前記双方向通信手段によってアクセスし得るアドレスを抽出して前記双方向通信手段によるアクセスを実行することを特徴とする情報収集装置。
【請求項８】
前記双方向通信手段、前記アクセス手段及びキーワード登録手段に対する電源駆動を行う第一の電源駆動手段と、
前記第一の電源駆動手段とは独立した電源駆動を前記受信専用通信手段及び検索手段に対して行い、前記第一の電源駆動手段が電源断または省電力状態であってもデータの受信、受信したデータの記憶手段への記憶及びキーワードの検索処理をなし得るよう電源駆動を行う第二の電源駆動手段とを備え、
前記アクセス手段は、前記第一の電源駆動手段より通常電力の供給がなされる状態において前記アドレスを抽出する処理及びファイルを取り込む処理を実行することを特徴とすることを特徴とする請求項７に記載の情報収集装置。
【請求項９】
前記検索手段は、前記登録されたキーワードが含まれる受信データを抽出したときに、前記第一の電源駆動回路を通常電力の供給を行う状態とする制御を行うことを特徴とする請求項８に記載の情報収集装置。
【請求項１０】
放送データの受信手段及び受信データを記憶する記憶手段とを有する受信専用通信手段と、入力手段と、双方向通信手段とを備えたコンピュータに実行させるためのプログラムを記録したコンピュータ読取可能な記録媒体であって、
前記入力手段により入力された検索キーワードを登録する処理と、
前記登録されたキーワードを用いて受信専用通信手段が受信したデータを検索する処理と、
前記検索処理が前記登録されたキーワードが含まれる受信データを抽出したときに、前記アクセス手段を起動する制御を行ない、前記検索手段により抽出された受信データより前記双方向通信手段によってアクセスし得るアドレスを抽出して前記双方向通信手段によりファイルを取り込む処理を起動する処理と、
をコンピュータに実行させるためのプログラムを記録したコンピュータ読取可能な記録媒体。
【発明の詳細な説明】
【０００１】
【発明の属する技術分野】
本発明は双方向通信を用いて情報を収集する情報収集装置、該情報収集装置の構成要素となる受信情報処理装置、及び該情報処理装置に対して情報を送信する情報送信装置に関する。
【０００２】
【従来の技術】
近年、コンピュータはダウンサイジングと呼ばれる小型軽量化への動きが著しい。表示部の液晶化、演算・記憶素子の高集積化、電池の高容量化、などによって、片手で容易に持ち運べる大きさ、重量で、かつての大型計算機の性能を持つ機器も出現している。
【０００３】
また通信手段として、無線電話が急速に復旧し、屋外で移動中に通信を行なうことが容易になりつつある。
更に、コンピュータ通信の国際的なネットワークであるインターネットが爆発的に普及しつつあり、情報を容易に早期に入手することが可能になってきている。
【０００４】
これらの背景に基づいて、片手で持てる大きさでインターネットに接続して情報を表示させる、インターネットビューワと称される携帯情報機器が注目されている。インターネットビューワは、少なくとも通信手段と、該通信手段を用いて入手した情報を表示する表示部を備えてインターネット用の表示端末に特化した携帯用情報機器であり、一般的なパソコンに備えられている機能については簡略化することにより、軽量化、低価格化を図ったものである。
【０００５】
【発明が解決しようとする課題】
上記のように、インターネット用の端末については低価格化が図られて来た。
しかし通信に要するコストは依然として高いという問題点がある。日本においては、通信手段として携帯電話を使用すると三分間で百円程度になり、また平成７年から利用が開始されたＰＨＳでも一分間１０円程度を要する。
【０００６】
従って、インターネットビューワが情報を入手する場合は、通信コストが膨大になってしまうという問題点があった。
またインターネットは従来からある放送や新聞等のマスメディアの手段としても注目されている。情報の送り手はホームページを開設して情報の受け手（インターネットビューワ等の端末を有するユーザ）の閲覧に供する。マスメディアとして情報を送出する場合は、できるだけ多くの人に閲覧して貰うのが望ましいが、多くのユーザが一つのホームページにアクセスするようになると、トラフィックの増大が問題になる。トラフィックが増大すると、ユーザ側が待たされてしまい、気軽に情報を入手することが出来なくなる。更にユーザに不便を強いるようであると、マスメディアとしてインターネットを利用することに妨げになり、情報の送り手としても好ましくない。
【０００７】
本発明は上記の課題を解決するためになされたものであって、情報の受け手（ユーザ）側が安価な通信コストで、かつ機敏なレスポンスで情報を入手し得る装置の提供を目的とする。
【０００８】
【課題を解決するための手段】
上記の目的を解決するためになされた、情報収集装置と、受信情報処理装置と、情報送信装置について説明する。
まず、本発明の情報収集装置は、
受信専用通信手段と、双方向通信手段と、受信専用通信手段により受信した受信データから双方向通信手段によってアクセスし得るアドレスを抽出し、双方向通信手段を用いてアドレスに存在するファイルを取り込むアクセス手段、とを有することを特徴とするものである。
【０００９】
双方向通信手段は、インターネットやパソコン通信等にアクセス可能な通信手段であり、一般的には普及している電話方式が用いられる。携帯可能な情報処理装置を構成するためには、携帯電話あるいはＰＨＳを用いるのが良いが、有線電話方式を排除するものでは無い。
また、受信専用通信手段には、ページャ方式や、ＦＭ文字放送、ＴＶ文字放送、ＴＶ通常放送等の放送方式を採用すれば良く、そうすれば受信側（情報収集装置側）のコストがかからない。また、放送方式を採用すれば、トラフィックの増大という問題が解消されるので、受信側ではアクセス時に待たされるようなことは無くなり、また送信側でも多数の情報収集装置に対して同報が可能となり、比較的低コストで多数のユーザに情報を送ることが可能となる。
【００１０】
このように本発明の情報収集装置によれば、低コストな通信方式により情報を受信して、得られた受信データに対応する詳細情報のファイルは双方向通信手段によりアクセスするように構成しているので、双方向通信手段を用いた方式よりも安価に情報を収集することができる。
なお、双方向通信手段によってアクセスし得るアドレスは、例えばインターネットのＵＲＬが用いられる。また受信専用通信手段はＤＡＲＣ規格のＦＭ文字放送を受信する受信機を用い、アクセス手段は、ＤＡＲＣ規格のＦＭ文字放送データのページデータに設けられたダミー領域に記述されたアドレスを抽出するように構成することが考えられる。予め設けられたダミー領域にアドレス情報を書き込むように構成することにより、従来と同様の通信設備を使用することが可能となる。
【００１１】
更に受信専用通信手段は、受信データを記憶する記憶手段と、双方向通信手段及びアクセス手段と独立して電源駆動を行なう電源駆動手段を有するように構成することにより、消費電力の多い双方向通信手段及びアクセス手段（一般的にはパソコン）の電源をオフにした場合にも情報受信が可能となり、省電力化を図ることができる。
【００１２】
なお「独立して電源駆動を行なう」構成とは、完全に独立した電源を設ける構成でも良いが、同一の電源からそれぞれの電源供給路において、それぞれの部分の状態に応じて供給具合を制御する回路等を設けて駆動状態を変えることにより、独立に切り離す構成を採用しても良い。
本発明では安価な通信コストでユーザの興味のある詳細情報を入手できるようにするために、受信データを基に入手すべき詳細情報の選択（絞り込み）を行なうのが望ましい。
【００１３】
そのためには、例えば受信専用通信手段が受信した受信データまたは該受信データの一部のデータを表示する表示手段と、表示手段に表示されたデータを選択する指示入力を受け付ける入力手段とを有すると共に、アクセス手段は、入力手段により選択指示された受信データに含まれるアドレスを抽出して双方向通信手段によるアクセスを実行するように構成すれば良い。
【００１４】
より具体的な実施態様としては、受信専用通信手段はＤＡＲＣ規格のＦＭ文字放送を受信する受信機であって、表示手段は、ＦＭ文字放送のページデータのヘッダ文字列と本文文字列と共に、該ページデータのダミー領域に記述されたＵＲＬまたは該ＵＲＬにリンクするボタンを表示し、入力手段はポインティングデバイスであって、表示されたＵＲＬまたは該ＵＲＬにリンクするボタンがポイント入力されることを検出し、アクセス手段は、ポイント入力に基づいて対応するＵＲＬのファイルを取り込む動作を実行するように構成することが考えられる。
【００１５】
このような構成においても、通常は受信専用通信手段のみ通電させて省電力化を図るため、受信専用通信手段は受信データを記憶する記憶手段と、双方向通信手段、表示手段、入力手段及びアクセス手段とは独立して電源駆動を行なう電源駆動手段とを有する構成とすることが望ましい。
また、予めキーワードを登録して、このキーワードに含まれる情報のみを選択して詳細情報を収集するように構成することにより、情報の選択を行なうために、検索キーワードを登録するキーワード登録手段と、登録されたキーワードを保存し、該キーワードを用いて受信データを検索する検索手段とを有すると共に、アクセス手段は、登録されたキーワードが含まれる受信データについて該受信データに対応するアドレスを抽出して双方向通信手段によるアクセスを実行するように構成しても良い。
【００１６】
このような構成において、省電力化を図るためには、受信専用通信手段に、受信データを記憶する記憶手段を設けると共に、受信専用通信手段及び検索手段とを駆動する駆動電源であって、双方向通信手段、キーワード登録手段及びアクセス手段の駆動電源とは独立して電源駆動を行なう電源駆動手段を有する構成とするのが望ましい。この場合、検索手段も受信専用通信手段と同様に通電させるのは、放送等で垂れ流しでデータを受信するので、予め情報の絞り込みを行なうことにより本体に対するデータ転送量を少なくするためである。更に検索手段は、前記登録されたキーワードが含まれる受信データを抽出したときに、前記アクセス手段を起動する制御を行なうようするのが望ましい。これは、通常はアクセス手段（情報処理装置本体側）は電源オフか省電力状態である場合でも、放送等より受信した情報中に重要な情報が含まれているときに、アクセス手段を立ち上げることが可能となるので、通常は省電力を図る場合でも、迅速に重要な情報の入手が可能となる。
【００１７】
更に検索手段により検索された受信データまたは該受信データの一部のデータを表示する表示手段と、該表示手段に表示されたデータを選択する指示入力を受け付ける入力手段とを有すると共に、アクセス手段は、入力手段により選択指示された受信データに対応するアドレスを抽出して双方向通信手段によるアクセスを実行するように構成することにより、情報の絞り込みを有効に実施することが可能となる。
【００１８】
より具体的な実施態様としては、受信専用通信手段はＤＡＲＣ規格のＦＭ文字放送を受信する受信機であって、表示手段は、ＦＭ文字放送のページデータのヘッダ文字列と本文文字列と共に、該ページデータのダミー領域に記述されたＵＲＬまたは該ＵＲＬにリンクするボタンを表示し、入力手段はポインティングデバイスであって、表示されたＵＲＬまたは該ＵＲＬにリンクするボタンがポイント入力されることを検出し、アクセス手段は、ポイント入力に基づいて対応するＵＲＬのファイルを取り込む動作を実行するように構成することが考えられる。
【００１９】
この構成においても省電力化のために、受信専用通信手段は、受信データを記憶する記憶手段を有すると共に、受信専用通信手段および検索手段とを駆動する駆動電源であって、双方向通信手段、キーワード登録手段、表示手段、入力手段及びアクセス手段の駆動電源とは独立して電源駆動を行なう電源駆動手段を有するように構成することが望ましい。
【００２０】
次に、本発明の受信情報処理装置について説明する。
この受信情報処理装置は、双方向通信手段、該双方向通信手段を用いて通信を実行するアクセス手段、キーワード登録入力を受け付けるキーワード登録手段とを有する情報処理装置と、受信専用通信装置との間に挿入して接続されるものであり、キーワード登録手段に登録されたキーワードを保存して、受信専用通信装置が受信したデータを該キーワードを用いて検索し、該キーワードを有する受信データを情報処理装置に転送することを特徴とするものである。
【００２１】
この受信情報処理装置は、上記の情報収集装置を構成するために提供されるものであって、双方向通信手段を含む情報処理装置（一般的には電話通信手段を有するか接続されたパソコン）と、ページャ方式の受信機あるいは放送受信機等の受信専用通信装置との間に挿入されて接続される。情報処理装置と受信専用通信装置はいずれも現在市販されているものを使用すれば良く、この市販品を使用して本発明の情報収集装置を構成するために、新たに受信情報収集装置を提供するものである。あるいは市販の受信装置（ＦＭ文字放送受信機等）を組み込んだ形での受信情報処理装置として、ＰＣＭＣＩＡカードとし、ノートパソコン等に組み合わせる構成としても良い。
【００２２】
更に本発明の受信情報処理装置は、受信専用通信装置が受信した受信データ形式を、情報処理装置が情報処理するためのデータ形式に変換する（例えば、ＤＡＲＣ規格のＦＭ文字放送データをＨＴＭＬ文書に変換する）ように構成することが望ましい。また、登録されたキーワードを含む受信データを抽出したときに、前記情報処理装置のアクセス手段を起動する制御を行なうことが望ましい。
【００２３】
また、本発明の情報送信装置は、
ダミー領域を含む規格を有する送信データを送出するものであって、ダミー領域に、該送信系と独立した双方向通信系によりアクセスされるファイルのアドレスを記述して送信を行なうものである。
送信データの規格は、例えばＤＡＲＣ規格のＦＭ文字放送であって、またアドレスはインターネットのＵＲＬが用いられる。
【００２４】
このように、詳細情報についてはそのアドレスのみを付加して送信を行なうことにより、安価な通信コストで多くのユーザに同時に多くの情報のインデックス情報を送出することが可能となる。詳細情報へのアクセスは受信側（情報収集装置のユーザ側）の選択に任せることにより、通信量を削減することが出来る。
またダミー領域を有する通信規格のダミー領域にアドレスを記述して送信する構成とすることにより、新たに特別な通信設備を設けることなく、上記のサービスを実施することが可能となる。
【００２５】
なお、上述の情報収集装置は、一般的なパソコン等のコンピュータにて実行させるプログラムを提供することにより実現し得るものであり、このプログラムを記録する記憶媒体は、
ＤＡＲＣ規格のＦＭ文字放送を受信する受信手段と、双方向通信手段とを備えたコンピュータに実行させるためのプログラムを記録したコンピュータ読取可能な記録媒体であって、前記受信手段が受信したＦＭ文字放送データのページデータに設けられたダミー領域に記述されたアドレスを抽出する処理と、前記双方向通信手段を用いて前記アドレスに存在するファイルを取り込む処理と、をコンピュータに実行させるためのプログラムを記録するものである。
【００２６】
更に受信したデータから所望のデータを選択してアクセスすることを可能とするために、本発明の記録媒体は、
受信専用通信手段と、表示手段と、入力手段と、双方向通信手段とを備えたコンピュータに実行させるためのプログラムを記録したコンピュータ読取可能な記録媒体であって、前記受信専用通信手段が受信した受信データまたは受信データの一部のデータを表示手段に表示する処理と、前記表示手段に表示されたデータを選択する指示入力を入力手段より受け付ける処理と、  前記指示入力により選択指示された受信データに含まれるアドレスを抽出して前記双方向通信手段によるアクセスを実行する処理と、をコンピュータに実行させるためのプログラムを記録する。
【００２７】
その実施形態としては、ＤＡＲＣ規格のＦＭ文字放送を受信する受信機と、表示手段と、ポインティングデバイスと、双方向通信手段とを備えたコンピュータに実行させるためのプログラムを記録したコンピュータ読取可能な記録媒体であって、前記受信機が受信したＦＭ文字放送のページデータのヘッダ文字列と本文文字列と共に、該ページデータのダミー領域に記述されたＵＲＬまたは該ＵＲＬにリンクするボタンを表示する処理と、前記表示されたＵＲＬまたは該ＵＲＬにリンクするホイント入力がポインティングデバイスよりなされることを検出する処理と、前記ポイント入力に基づいて対応するＵＲＬのファイルを前記双方向通信手段を用いて取り込む処理と、をコンピュータに実行させるためのプログラムを記録すれば良い。
【００２８】
また、放送されたデータから所望の情報を検索して抽出するために、本発明の記録媒体は、
受信専用通信手段と、入力手段と、双方向通信手段とを備えたコンピュータに実行させるためのプログラムを記録したコンピュータ読取可能な記録媒体であって、前記入力手段により入力された検索キーワードを登録する処理と、前記登録されたキーワードを用いて受信専用通信手段が受信したデータを検索する処理と、該検索された、前記登録されたキーワードが含まれる受信データについて、該受信データに対応するアドレスを用いて前記双方向通信手段によりファイルを取り込む処理と、をコンピュータに実行させるためのプログラムを記録する。
【００２９】
更に検索された情報から所望の情報を選択するために、本発明の記録媒体は、受信専用通信手段と、入力手段と、表示手段と、双方向通信手段とを備えたコンピュータに実行させるためのプログラムを記録したコンピュータ読取可能な記録媒体であって、前記入力手段により入力された検索キーワードを登録する処理と、前記登録されたキーワードを用いて受信専用通信手段が受信したデータを検索する処理と、前記検索された、前記登録されたキーワードが含まれる受信データまたが該受信データの一部のデータを表示手段により表示する処理と、該表示されたデータを選択する指示入力を入力手段より受け付ける処理と、前記入力手段により選択指示された受信データに対応するアドレスを用いて前記双方向通信手段によりファイルを取り込む処理と、をコンピュータに実行させるためのプログラムを記録する。
【００３０】
その実施形態としては、ＤＡＲＣ規格のＦＭ文字放送を受信する受信機と、ポインティングデバイスと、入力手段と、表示手段と、双方向通信手段とを備えたコンピュータに実行させるためのプログラムを記録したコンピュータ読取可能な記録媒体であって、前記ＦＭ文字放送のページデータのヘッダ文字列と本文文字列と共に、該ページデータのダミー領域に記述されたＵＲＬまたは該ＵＲＬにリンクするボタンを前記表示手段に表示する処理と、前記表示されたＵＲＬまたは該ＵＲＬにリンクするボタンが前記ポインティングデバイスによりポイント入力されるのを検出する処理と、前記ポイント入力に基づいて対応するＵＲＬを用いて前記双方向通信手段によりファイルを取り込む処理と、をコンピュータに実行させるためのプログラムを記録すれば良い。
【００３１】
【発明の実施の形態】
以下、図面に基づいて本発明の実施形態を説明する。本実施形態は、受信側端末の受信専用通信手段に用いる通信方式にはＦＭ文字放送を採用し、双方向通信手段に用いる放送手段としてはＰＨＳを採用して、インターネットビューワとしての機能を実現するように構成したものである。
１）情報送信装置
まず、図１乃至図３を用いて、本発明の情報送信装置の実施形態を説明する。
【００３２】
図１は、本発明の情報送信装置の構成の一実施形態を示す図である。
図中、１１は番組制作用のパソコンであり、番組制作用エディタ１１１と、番組制作用エディタで作成したデータをＤＡＲＣ（文字多重放送規格）に変換するデータ変換部（プログラム）１１２と、後述する多重器を制御する多重器制御部１１３を有する。
【００３３】
１２はＦＭ放送多重器であり、ＤＡＲＣ形式データとＦＭ音楽データとを多重化し、それをパイロット信号と合成して発振器に送出するものである。これは既に専用の機器が提供されている。
１３はＦＭ放送を送出するためのＦＭ変調発振器であり、これも既存のものを用いれば良い。
【００３４】
図２は、図１の情報送信装置により作成される放送データの形式を示す図である。
この放送データは、ＤＡＲＣ（文字多重放送規格）に準拠するものである。
図２に示すように、放送データはメニューデータ２１、１つまたは複数の番組データ２２、音声補完番組データ２３から構成される。
【００３５】
このうちメニューデータ２１は、１つ又は複数のメニューページデータ２１０により構成される。各メニューページデータ２１０には、ヘッダー２１１（メニューページのタイトル等の文字情報）、本文である番組メニュー２１２（文字情報）、選択制御データ２１３より構成されている。ＦＭ文字放送の端末の表示器には番組メニュー２１２の文字情報が表示される。また、選択制御データ２１３には端末のキーイン番号と、後述する番組のページデータ２２の行き先情報との対応関係が記述されており、番組メニューを見たユーザにより番組選択のためのキー入力がなされると、対応する番組のページデータ２２を読み出して表示するように構成されている。
【００３６】
番組データ２２には、番組名２２０（例えばニュース、天気予報、道路交通情報、等）、番組番号２２１と、一つ又は複数のページデータ２２２からなる。
音声補完番組データ２３は、音声で提供する番組のデータが格納される領域であるが、本発明に必須のものでは無い。
ページデータ２２２はページのタイトルを示すヘッダー２２３、本文２２４、HTML文２２５よりなる。
【００３７】
ヘッダー２２３は15.5文字分の文字列（文字情報）、本文２２４は15.5文字×2 行の文字列（文字情報）である。
ｈｔｍｌ文２２５は、ページデータ２２に対応する詳細情報( ファイル) のインターネット上のアドレスを示すＵＲＬと、このＵＲＬの表題より構成される。なお、このｈｔｍｌ文は、本来のＤＡＲＣ規格ではダミー文として非表示とされている領域に埋め込まれている。このように構成することにより、従来のＦＭ文字放送のシステムをそのまま流用することができる。
【００３８】
再び図１を用いて本発明の情報送信装置による情報送出の手順を説明すると、まず情報の送出側では、番組制作エディタ１１１を用いて、送出するページデータを作成する。この番組制作エディタ１１１の表示画面（表示ウィンドウ）の一例を図３に示す。
図中、３１、３２、３３はそれぞれ製作者により文字列が書き込まれる欄（領域）であって、３１の欄にはヘッダ、３２の欄には本文が書き込まれる。また３３の欄にはまずページデータに対応する詳細情報のＵＲＬが記入され、このＵＲＬに続いて（，の後に）このＵＲＬのリンクボタンとなる文字列が記入される。
【００３９】
なお、３４は各欄への文字入力の操作を指示したり、ウィンドウの制御の指示を行なうためのボタンであり、ポインティングデバイスに指示を受け付けるための領域である。
この番組制作エディタ１１１で作成された番組情報は、データ変換部１１２により、図２で示したようなＤＡＲＣ規格に基づく放送データに変換される。
【００４０】
データ変換部により変換されたＤＡＲＣ規格の放送データは、多重器制御部１１３の制御のもとで、ＦＭ文字放送多重器１２によってＦＭ音楽データと多重化され、更にパイロット信号と合成されて発振器１３に送出され、ＦＭ変調発振器によりＦＭ変調され、放送される。
２）情報収集装置（インターネットビューワ）
次に、図４乃至図６を用いて、本発明の情報処理装置の実施形態を説明する。
【００４１】
本実施形態の情報収集装置は、上記情報送信装置により送出された情報を利用するインターネットビューワである。
図４は本実施形態の情報収集装置の構成を示す図である。
４１は情報収集装置の本体であり、一般的な情報処理端末と同様にキーボードやマウス等の入力手段４１１と、表示手段（ディスプレイ）４１２とを備える他、図示しないＣＰＵで動作するソフトウェアとして、ＨＴＭＬブラウザの機能を含む閲覧エディタ４１３とキーワード登録部４１４とを有する。この本体には通常のパソコンを用いても良く、また一般的なパソコンより機能を削減し、インターネットビューワとして特化した情報処理端末として構成しても良い。
【００４２】
一般的なパソコンで本実施形態の情報収集装置を実現する場合には、閲覧エディタ４１３やキーワード登録部４１４は、記録媒体に処理プログラムを記録しておき、図示しないドライブ手段により該記録媒体から処理プログラムをインストールして、それぞれの機能を実現するように構成すれば良い。
４２は受信情報処理モジュールであり、後述するＦＭ文字放送受信モジュール４３を制御する受信モジュール制御部４２１、ＤＡＲＣ規格の文字コードをパソコンで使用される文字コード（ＳＪＩＳ等）に変換するデータ変換部４２２、本体４１のキーワード登録部４１４により登録されたキーワードを保持し、受信データとのキーワードとの比較を行なうキーワード比較部４２３を有する。
【００４３】
４３はＦＭ文字多重放送受信モジュールであり、受信回路部４３１と、受信された放送データを蓄積する記憶部４３２を有する。
４４は双方向通信手段として動作するＰＨＳモジュールである。
なお、ＦＭ文字放送受信モジュール４３は、アプリケーションソフトによりパソコン上で制御を行ないうるものを使用すれば良い（現在市販されている）。但し、本実施形態においては、本体４１から直接制御するものではなく、受信情報処理モジュール４２の受信モジュール制御部４２１の配下で制御される。
【００４４】
一方、受信情報処理モジュール４２は、本実施形態を実現するために新たに提供される専用機器である。このモジュールの機能は、いずれも本体４１にソフトウェアを動作させることで実現可能なものであるが、本体４１の電源がオフになっている状態でも動作可能とするために、別モジュールとして構成したものである。つまり、本体４１、受信情報処理モジュール４２、ＦＭ文字多重放送受信モジュール４３、ＰＨＳモジュール４４はそれぞれ独立した電源で動作させるか、あるいは受信情報処理モジュール４２とＦＭ文字多重放送受信モジュール４３とを共通の電源を行い、本体４１やＰＨＳモジュール４４の電源とは独立した電源制御を行なう構成することにより、ユーザが本体４１やＰＨＳモジュール４４の電源をオフにしている状態でも、ＦＭ文字放送からの情報を受信することを可能とする。これらのモジュールを制御する制御部４２１、データ変換部４２２、キーワード比較部４２３についても、これらの機能を実施する処理プログラムプログラムを記録媒体に記録しておき、これをインストールして実行することが考えられる。
【００４５】
図４の実施態様では、１つの共通電源４５より給電される第一の駆動制御回路４５１、第２の駆動制御回路４５２とを設け、第一駆動制御回路４５１は本体４１とＰＨＳモジュールに対する給電を制御し、第二駆動制御回路４５２は受信情報処理モジュール４２とＦＭ文字多重放送受信モジュール４３とに給電を行なう制御を行なう。通常の使用形態としては、第一駆動制御回路４５１による電源系統はユーザの使用時のみ電源オンとなり、第二駆動制御回路４５２による電源系統は常時電源オンとすることにより、常時ＦＭ文字放送による情報収集が可能となり、節電にも好適である。なお、キーワード比較部４２３が受信データよりキーワードを含むページデータを受信したことを契機として、第一駆動制御回路を立ち上げるように、受信情報処理モジュールに第一駆動制御回路の制御機能を設けても良い（図示略）。
【００４６】
本体４１とＦＭ文字放送モジュール４３とは、ＲＳ２３２Ｃ等のインターフェースで接続されるように構成されているが、本実施形態ではこの両者の間に受信情報処理モジュール４２が挿入される形になる。従って、本体４１と受信情報処理モジュール４２との間、及び受信情報処理モジュール４２とＦＭ文字多重放送モジュール４３との間は、それぞれＲＳ２３２Ｃ等のインターフェースで接続される。
【００４７】
なお、本体４１と上記各モジュール４２〜４４とは、別筐体で構成しても良いが、モジュールをカードとして構成し、本体４１に組み込む構成としても良い。
次に、本実施形態の情報収集装置の動作を、図５を用いて説明する。
本体４１の電源がオンとなっている状態で、ユーザの操作によりキーワード登録部４１４が起動され（ステップ５０１）、入力手段４１２によりキーワードが登録される。
登録されたキーワードはキーワード登録部４１４により受信情報処理モジュー
ル４２に転送され、受信情報処理モジュール４２のキーワード比較部４２２に記憶される（ステップ５０２）。
【００４８】
キーワードの登録がなされれば、本体４１の電源をオフにするか、キーワード登録部４１４を終了させて（本体４１の電源はオンのまま、他のアプリケーションソフト等を動作させる状態でも良い）、ＦＭ文字放送の受信状態に入る（ステップ５０３）。
先述したように、ＦＭ文字放送受信モジュール４３と、受信情報処理モジュール４２とは、本体４１の電源がオフであっても通電しており、ＦＭ文字放送の受信が可能となっている。そして、ＦＭ文字受信モジュール４３がＦＭ文字放送を受信する（ステップ５０４）と、受信情報処理モジュール４２のデータ変換部４２２は、受信したＤＡＲＣ規格の文字コードで記述されたデータを、ＨＴＭＬ形式（ＳＪＩＳ文字コード）のデータに変換する（ステップ５０５）。
【００４９】
文字コード系を変換された放送データのうち、図２のページデータに含まれるヘッダーと本文については、登録されたキーワードと比較がなされる（ステップ５０６）。ヘッダ又は本文にキーワードが含まれるページデータを抽出し、これを保持する（ステップ５０８）。
その後、本体４１の閲覧エディタ４１３をユーザの指示により立ち上げられると、該閲覧エディタ４１３の指示により、キーワード比較部４２３は保持していたページデータを本体４１に転送する。なお、閲覧エディタの立ち上げは、キーワードを含むページデータの受信時に、第一駆動制御回路により本体４１およびＰＨＳモジュールのパワーオン（あるいは省電力モードから通常モードへの復帰）をして、併せて閲覧エディタを立ち上げるようにしても良い。
【００５０】
ＨＴＭＬ形式のページデータを受信した本体４１の閲覧エディタ４１３は、受信データを表示手段４１２に表示する（ステップ５０９）。
この表示の一例（ウィンドウのイメージ）を図５に示す。抽出された複数のページデータは、ヘッダ６０１、本文６０２、ＵＲＬのリンクボタン６０３の順に並べて表示される。この図５の例は、「凸凹電機」をキーとして検索した例を示すものである。なお、本ウィンドウは一般的なインターネットのブラウザに準じるものであり、６０４は選択されたＵＲＬを表示する領域、６０５は操作を指示するためのボタン群である。
【００５１】
ユーザは興味のあるページデータについて、より詳細な情報を所望する場合は、入力手段４１１を用いて該当するページデータのＵＲＬのリンクボタン６０３をポイントする（ステップ５１０）。
閲覧エディタ４１３は、リンクボタンがポイントされるとＰＨＳモジュール４４を起動して（ステップ５１１）、対応するＵＲＬを用いて詳細情報のファイルにアクセスする（ステップ５１２）。アクセスされたＵＲＬのファイルは表示部４１１に表示する（ステップ５１３）。
【００５２】
このように本実施形態によれば、予めユーザがキーワードを登録しておくと、キーワードが含まれるページデータを自動的に抽出して表示するので、情報の絞り込みが簡単になる。
また、キーワードを登録していない場合は、キーワード検索は行なわず、全てのページデータを本体４１に転送し、ユーザにページデータを選択させる。その場合は図５のステップ５０１〜５０３，５０５、５０６を除く処理が実行される。なお、他の実施形態として、キーワード登録処理のためのキーワード登録部４１４と、キーワード比較部４２３は設けず、全てのページデータをユーザに閲覧させる構成も考えられる。
【００５３】
【発明の効果】
以上説明したように、本発明の情報収集装置及び受信情報処理装置によれば、詳細情報を収集するための双方向通信手段の他に、双方向通信手段でアクセスし得るアドレス（詳細情報のありか）を通知するための通信手段であって双方向通信手段よりも比較的通信コストの安価な受信専用通信手段を設ける構成とすることにより、低コストで情報収集が可能となる。また、詳細情報を得るためのインデックス情報を受信専用通信手段で入手するので、双方向通信に対してレスポンスが良いという利点もあり、更に節電の点でも有利である。
【００５４】
また、上記情報収集装置に情報を送る情報送出装置は、インデックス情報を放送等を用いて送信することにより、多くのユーザに同報が可能であり、通信コスト上有利であり、更にトラフィックの増大という問題も生じない。
【図面の簡単な説明】
【図１】本発明の実施形態の情報送信装置の構成を示すブロック図である。
【図２】図１の情報送信装置が送出するＦＭ文字放送データの形式を示す図である。
【図３】図１の情報送信装置の番組制作用エディタの表示ウィンドウの例を示す図である。
【図４】本発明の実施形態の情報収集装置の構成を示すブロック図である。
【図５】図４の情報収集装置の動作を示すフローチャートである。
【図６】図４の情報収集装置の閲覧エディタの表示ウィンドウの例を示す図である。
【符号の説明】
１１：番組制作用パソコン
１１１：番組制作用エディタ  １１２：データ変換部
１１３：多重器制御部
１２：ＦＭ放送多重器
１３：ＦＭ変調発振器
４１：情報処理装置本体
４１１：入力手段        ４１２：表示手段
４１３：閲覧エディタ    ４１４：キーワード登録部
４２：受信情報処理装置
４２１：ＦＭ文字放送受信モジュール制御部ｍｏ
４２２：データ変換部    ４１３：キーワード比較部
４３：ＦＭ文字放送受信モジュール
４３１：受信回路        ４３２：記憶部
４４：ＰＨＳモジュール
【図１】
0004439601.tif 000002
【図２】
0004439601.tif 000003
【図３】
0004439601.tif 000004
【図４】
0004439601.tif 000005
【図５】
0004439601.tif 000006
【図６】
0004439601.tif 000007